(57)【要約】【課題】放射線撮影装置からシステム制御装置に放射線画像を送信する際に、簡易な構成で、効率的な画像送信を行える仕組みを提供する。【解決手段】入射した放射線を検出してＸ線画像（放射線画像）を生成するフラットパネルセンサ１１２と、画像処理・システム制御装置１３０から、画像処理・システム制御装置１３０がＸ線撮影装置１１０との通信によってＸ線画像を取得する際の画像取得サイズを定めた画像取得サイズ設定情報を受信し、画像処理・システム制御装置１３０との通信に係る画像通信プロトコルのデータ処理単位に基づいて上述の画像取得サイズでＸ線画像を画像処理・システム制御装置１３０に送信可能か否かを判定し、当該判定の結果を画像処理・システム制御装置１３０に通知する撮影装置内制御部１１５を備える。【選択図】図１
2016118899.tif 000002
【特許請求の範囲】
【請求項１】
システム制御装置と通信可能に構成され、放射線画像を撮影する放射線撮影装置であって、
入射した放射線を検出して、前記放射線画像を生成する放射線検出手段と、
前記システム制御装置から、前記システム制御装置が前記放射線撮影装置との通信によって前記放射線画像を取得する際の画像取得サイズを定めた画像取得サイズ設定情報を受信する受信手段と、
前記システム制御装置との通信に係る画像通信プロトコルのデータ処理単位に基づいて、前記画像取得サイズで前記放射線画像を前記システム制御装置に送信可能か否かを判定する判定手段と、
前記判定手段による判定結果を前記システム制御装置に通知する通知手段と
を有することを特徴とする放射線撮影装置。
【請求項２】
システム制御装置と通信可能に構成され、放射線画像を撮影する放射線撮影装置であって、
入射した放射線を検出して、前記放射線画像を生成する放射線検出手段と、
前記システム制御装置から、前記システム制御装置が前記放射線撮影装置との通信によって前記放射線画像を取得する際の画像取得サイズを定めた画像取得サイズ設定情報を受信する受信手段と、
前記システム制御装置との通信に係る画像通信プロトコルのデータ処理単位に基づいて、前記画像取得サイズを調整する調整手段と
を有することを特徴とする放射線撮影装置。
【請求項３】
前記調整手段は、前記画像通信プロトコルのデータ処理単位に基づいて、取得画素数の追加となるように前記画像取得サイズを調整することを特徴とする請求項２に記載の放射線撮影装置。
【請求項４】
前記調整手段は、前記画像通信プロトコルのデータ処理単位に基づいて、取得画素数の削減となるように前記画像取得サイズを調整することを特徴とする請求項２に記載の放射線撮影装置。
【請求項５】
前記調整手段は、前記画像通信プロトコルのデータ処理単位と判定基準値とに従って、取得画素数を追加するか削減するかを決定し、当該決定に従って前記画像取得サイズを調整することを特徴とする請求項２に記載の放射線撮影装置。
【請求項６】
前記調整手段により調整した画像取得サイズに係る情報を前記システム制御装置に通知する通知手段を更に有することを特徴とする請求項２乃至５のいずれか１項に記載の放射線撮影装置。
【請求項７】
前記調整手段は、前記画像取得サイズの１ラインデータサイズごとに前記調整を行うことを特徴とする請求項２乃至６のいずれか１項に記載の放射線撮影装置。
【請求項８】
前記画像取得サイズ設定情報は、前記画像取得サイズを長さ単位で設定したものであることを特徴とする請求項１乃至７のいずれか１項に記載の放射線撮影装置。
【請求項９】
前記画像取得サイズ設定情報は、前記画像取得サイズを画素数単位で設定したものであることを特徴とする請求項１乃至７のいずれか１項に記載の放射線撮影装置。
【請求項１０】
前記画像取得サイズ設定情報に定められる前記画像取得サイズの１画素のビットサイズは可変であることを特徴とする請求項１乃至９のいずれか１項に記載の放射線撮影装置。
【請求項１１】
システム制御装置と通信可能に構成され、入射した放射線を検出して放射線画像を生成する放射線検出手段を含み構成された放射線撮影装置の制御方法であって、
前記システム制御装置から、前記システム制御装置が前記放射線撮影装置との通信によって前記放射線画像を取得する際の画像取得サイズを定めた画像取得サイズ設定情報を受信する受信ステップと、
前記システム制御装置との通信に係る画像通信プロトコルのデータ処理単位に基づいて、前記画像取得サイズで前記放射線画像を前記システム制御装置に送信可能か否かを判定する判定ステップと、
前記判定ステップによる判定結果を前記システム制御装置に通知する通知ステップと
を有することを特徴とする放射線撮影装置の制御方法。
【請求項１２】
システム制御装置と通信可能に構成され、入射した放射線を検出して放射線画像を生成する放射線検出手段を含み構成された放射線撮影装置の制御方法であって、
前記システム制御装置から、前記システム制御装置が前記放射線撮影装置との通信によって前記放射線画像を取得する際の画像取得サイズを定めた画像取得サイズ設定情報を受信する受信ステップと、
前記システム制御装置との通信に係る画像通信プロトコルのデータ処理単位に基づいて、前記画像取得サイズを調整する調整ステップと
を有することを特徴とする放射線撮影装置の制御方法。
【発明の詳細な説明】
【技術分野】
【０００１】
本発明は、システム制御装置と通信可能に構成され、放射線画像を撮影する放射線撮影装置及びその制御方法に関するものである。なお、本明細書の説明においては、本発明における放射線としてＸ線を適用した例を示すが、本発明においてはこれに限定されるものではなく、例えば、放射線として、α線、β線、γ線等も含まれるものとする。
【背景技術】
【０００２】
近年、デジタル画像として被写体のＸ線画像を撮影するＸ線撮影システムが開発されている。このＸ線撮影システムは、従来の銀塩写真を用いるＸ線写真システムと比較して、極めて広範囲のＸ線露出域に亘って画像を記録できるという実用的な利点を有している。
【０００３】
具体的に、Ｘ線撮影システムでは、極めて広範囲なダイナミックレンジのＸ線を、例えば蛍光体を介して光電変換して電気信号として読み取り、この電気信号を更にデジタル信号に変換する。そして、Ｘ線撮影システムでは、デジタル信号を処理して、写真感光材料等の記録材料やＣＲＴ等の表示装置に、可視画像としてＸ線画像を出力することにより、Ｘ線露光量がある程度変動しても、良好なＸ線画像が得られるようになっている。
【０００４】
近年、Ｘ線撮影装置は、画素の高精細化と大画素数化が進み、例えば、横方向２０００画素×縦方向２０００画素を超える画素数を有する装置が開発されている。ユーザーは、撮影対象部位やＸ線照射野に応じて、任意のサイズ指定・画素数指定での画像取得が可能となっている。
【０００５】
例えば、下記の特許文献１には、最適なＸ線診断画像を得るために、ユーザーの設定に応じて、Ｘ線撮影装置の全画素エリアの一部の領域を切出して画像出力するＸ線撮影システムの技術が開示されている。
【先行技術文献】
【特許文献】
【０００６】
【特許文献１】特開２００７−２８２７７２号公報
【発明の概要】
【発明が解決しようとする課題】
【０００７】
Ｘ線撮影装置で用いる撮像素子においては、例えば、１１ｉｎｃｈ×１１ｉｎｃｈ等の大画面サイズの撮影領域を有する。そして、Ｘ線撮影装置は、この大画面サイズの撮影領域から得られるＸ線画像を、システム制御装置からの画像取得サイズの設定により、任意のサイズに切出して、画像出力する機能を有している。ユーザーは、撮影対象部位やＸ線照射野に応じて、任意の画像取得サイズでの画像取得が可能なのである。
【０００８】
しかしながら、指定された画像取得サイズによっては、Ｘ線撮影装置から画像通信される画像通信プロトコルのデータ転送単位（データ処理単位）に対して余り画素が出て、不都合が生じる場合がある。このような場合、ダミーデータを付加する解決策もあるが、通信系での実データ使用率が低くなるという問題が生じる。さらに、システム制御装置側でダミーデータを削除処理しなければならない等、システム設計（システム構成）が複雑になるという問題もあった。
【０００９】
本発明は、このような問題点に鑑みてなされたものであり、放射線撮影装置からシステム制御装置に放射線画像を送信する際に、簡易な構成で、効率的な画像送信を行える仕組みを提供することを目的とする。
【課題を解決するための手段】
【００１０】
本発明の放射線撮影装置は、システム制御装置と通信可能に構成され、放射線画像を撮影する放射線撮影装置であって、入射した放射線を検出して、前記放射線画像を生成する放射線検出手段と、前記システム制御装置から、前記システム制御装置が前記放射線撮影装置との通信によって前記放射線画像を取得する際の画像取得サイズを定めた画像取得サイズ設定情報を受信する受信手段と、前記システム制御装置との通信に係る画像通信プロトコルのデータ処理単位に基づいて、前記画像取得サイズで前記放射線画像を前記システム制御装置に送信可能か否かを判定する判定手段と、前記判定手段による判定結果を前記システム制御装置に通知する通知手段とを有する。
本発明の放射線撮影装置における他の態様は、システム制御装置と通信可能に構成され、放射線画像を撮影する放射線撮影装置であって、入射した放射線を検出して、前記放射線画像を生成する放射線検出手段と、前記システム制御装置から、前記システム制御装置が前記放射線撮影装置との通信によって前記放射線画像を取得する際の画像取得サイズを定めた画像取得サイズ設定情報を受信する受信手段と、前記システム制御装置との通信に係る画像通信プロトコルのデータ処理単位に基づいて、前記画像取得サイズを調整する調整手段とを有する。
また、本発明は、上述した放射線撮影装置の制御方法を含む。
【発明の効果】
【００１１】
本発明によれば、放射線撮影装置からシステム制御装置に放射線画像を送信する際に、簡易な構成で、効率的な画像送信を行うことができる。
【図面の簡単な説明】
【００１２】
【図１】本発明の第１の実施形態に係るＸ線撮影システム（放射線撮影システム）の概略構成の一例を模式的に示す図である。
【図２】本発明の第１の実施形態を示し、図１に示す撮影装置内制御部と画像処理・システム制御装置との通信に係る通信プロトコル（画像通信プロトコル）の一例を示す図である。
【図３】本発明の第１の実施形態に係るＸ線撮影装置（放射線撮影装置）の制御方法における処理手順の一例を示すフローチャートである。
【図４】本発明の第２の実施形態に係るＸ線撮影装置（放射線撮影装置）の制御方法における処理手順の一例を示すフローチャートである。
【図５】本発明の第２の実施形態に係るＸ線撮影システム（放射線撮影システム）の処理の一例を示す図である。
【発明を実施するための形態】
【００１３】
以下に、図面を参照しながら、本発明を実施するための形態（実施形態）について説明する。
【００１４】
（第１の実施形態）
まず、本発明の第１の実施形態について説明する。
【００１５】
図１は、本発明の第１の実施形態に係るＸ線撮影システム（放射線撮影システム）１００の概略構成の一例を模式的に示す図である。図１に示すＸ線撮影システム１００は、大面積のフラットパネル式であってＸ線動画撮影（放射線動画撮影）を行うためのＸ線撮影装置（放射線撮影装置）１１０を有するシステムである。
【００１６】
図１において、１１０はＸ線撮影装置（放射線撮影装置）、１２０はＸ線管（放射線管）、１３０は画像処理・システム制御装置、１４０はＸ線発生装置（放射線発生装置）、１５０は画像表示装置、１６０は操作パネルである。ここで、被写体（不図示）は、Ｘ線管１２０とＸ線撮影装置１１０との間の空間に配置される。また、Ｘ線撮影装置１１０は、画像処理・システム制御装置１３０と通信可能に構成され、放射線画像を撮影する装置である。
【００１７】
被写体（不図示）の撮影時には、タッチパネル型ディスプレイ等の操作パネル１６０に対するユーザーの操作に応じて、後述する各種のコマンド通信が行われ、また、画像処理・システム制御装置１３０により、Ｘ線撮影装置１１０とＸ線発生装置１４０が同期制御される。
【００１８】
撮影時に、Ｘ線発生装置１４０によりＸ線管１２０から照射され、被写体（不図示）を透過したＸ線（放射線）は、Ｘ線撮影装置１１０に入射する。そして、Ｘ線撮影装置１１０に入射したＸ線は、シンチレータ（不図示）により可視光に変換される。そして、Ｘ線撮影装置１１０では、光電変換により可視光の光量に応じた電荷をアナログの電気信号として蓄積し、その後、蓄積した電荷を読み出してＡ／Ｄ変換を行う。これにより、Ｘ線照射に対応したＸ線画像データ（放射線画像データ）が生成される。そして、このＸ線画像データは、Ｘ線撮影装置１１０から画像処理・システム制御装置１３０に転送され、画像処理・システム制御装置１３０において画像処理が行われる。その後、画像表示装置１５０に、画像処理が行われたＸ線画像データに基づくＸ線画像がリアルタイムで表示される。
【００１９】
Ｘ線撮影装置１１０において、１１１は、矩形半導体基板である。この矩形半導体基板１１１は、例えば、変換素子（例えば上述したシンチレータ、及び光電変換素子からなる）を含む画素が２次元状に配設された撮影領域を備えて構成されている。１１２は、フラットパネルセンサである。このフラットパネルセンサ１１２は、矩形半導体基板１１１が１２行×２列にタイリングされて構成されている。また、フラットパネルセンサ１１２は、被写体（不図示）を透過したＸ線を検出して、Ｘ線画像データを生成する放射線検出手段を構成する。Ｘ線撮影装置１１０は、フラットパネルセンサ１１２にタイリングされた３枚の矩形半導体基板１１１からのアナログの電気信号を、１つの増幅部１１３を介して１つのＡ／Ｄ変換部１１４でアナログ・デジタル変換（Ａ／Ｄ変換）してデジタルの電気信号を得る。そして、各Ａ／Ｄ変換部１１４から、デジタル信号のＸ線画像データが出力される。
【００２０】
Ｘ線撮影装置１１０において、１１５は、撮影装置内制御部である。この撮影装置内制御部１１５は、画像処理・システム制御装置１３０との間でコマンド通信、撮影制御信号通信、Ｘ線画像データ通信（放射線画像データ通信）、各種の情報通信を行う。また、撮影装置内制御部１１５は、フラットパネルセンサ１１２の制御機能も兼ね備えており、フラットパネルセンサ１１２の駆動制御や撮影モード制御を行う。そして、撮影装置内制御部１１５は、複数のＡ／Ｄ変換部１１４からＡ／Ｄ変換されたブロックごとのデジタルＸ線画像データを合成してフレームＸ線画像データとし、これを画像処理・システム制御装置１３０に転送する。
【００２１】
図１において、１７１は、撮影装置内制御部１１５から画像処理・システム制御装置１３０に送信する撮影装置送信信号である。また、１７２は、画像処理・システム制御装置１３０から撮影装置内制御部１１５に送信するシステム制御装置送信信号である。これらの撮影装置送信信号１７１及びシステム制御装置送信信号１７２は、双方向の撮影動作向け通信系を介して送信される。例えば、撮影装置送信信号１７１には、Ｘ線撮影装置１１０が撮影可能状態になったことを伝えるＲＥＡＤＹ信号や曝射許可信号、撮影動作用コマンド信号、Ｘ線画像データに係る信号、画像処理・システム制御装置１３０に対する各種の情報に係る信号が含まれる。また、例えば、システム制御装置送信信号１７２には、撮影動作設定コマンド信号や、撮影同期信号、撮影装置内制御部１１５に対する各種の情報に係る信号が含まれる。
【００２２】
撮影装置内制御部１１５と画像処理・システム制御装置１３０との間のＸ線画像データ通信は、フラットパネルセンサ１１２の画素数が増えて扱うデータ量が増え、且つ、高速のフレームレートが要求されるような性能向上が求められる中、より高速化されている。また、撮影装置内制御部１１５と画像処理・システム制御装置１３０との間の信号線数を考慮し、双方向シリアル通信系が採用されることが多い。そして、画像通信系においては、システム構築の流用性や汎用性、信頼性、設計のしやすさ等の観点から、世の中に既存する通信プロトコル（画像通信プロトコル）を採用することが多い。代表的な通信プロトコルの例としては、Ｓｅｒｉａｌ  Ｒａｐｉｄ  ＩＯや、ギガビットのイーサネット（登録商標）等が挙げられる。これらの通信プロトコルは、対応する規格によって、コマンド体系やデータ処理単位が決められている。
【００２３】
図２は、本発明の第１の実施形態を示し、図１に示す撮影装置内制御部１１５と画像処理・システム制御装置１３０との通信に係る通信プロトコル（画像通信プロトコル）の一例を示す図である。
【００２４】
例えば、図２に示すＳｅｒｉａｌ  Ｒａｐｉｄ  ＩＯのライトコマンドを使ってＸ線画像データ通信を行う場合、１転送単位でのデータ長は、最小８バイト、最大２５６バイトである。また、この場合、図２に示すように、１転送単位でのデータ処理単位は、８バイト単位と定められており、この８バイトよりも小さなサイズのデータや大きなサイズのデータ等の８バイト単位でないデータは、１転送単位では扱えなくなっている。また、例えば、図２に示すイーサネット（登録商標）通信では、１転送単位でのデータ長は、最小４６バイト、最大１５００バイトであり、また、１転送単位でのデータ処理単位は、１バイト単位と定められている。また、これらの通信プロトコル（画像通信プロトコル）の１転送単位でのデータ長は、プロトコルによってパケット・フレーム等の名称で定義されている。
【００２５】
一方、Ｘ線撮影装置１１０のフラットパネルセンサ１１２は、画素の高精細化と大画素数化が進み、例えば、横方向２０００画素×縦方向２０００画素を超える画素数を有するセンサが開発されている。
【００２６】
ユーザーは、Ｘ線撮影対象部位やＸ線照射野に応じて、任意のサイズ指定・画素数指定による画像取得が可能となっている。これは、Ｘ線撮影対象部位外やＸ線照射野外等の不要な画像部分をカットして画像サイズを小さくすることにより、Ｘ線画像データサイズを減らし、フレームレートや画像処理スピードを早くしたい時に有用である。
【００２７】
Ｘ線撮影装置１１０から送信されるＸ線画像データのサイズ・画素数の設定は、画像処理・システム制御装置１３０とＸ線撮影装置１１０との間での通信コマンドによって実施される。ユーザーは、操作パネル１６０から、任意の画像取得サイズを画素数単位或いは長さ単位で入力する。すると、操作パネル１６０から入力された画像取得サイズを定めた画像取得サイズ設定情報が、画像処理・システム制御装置１３０からＸ線撮影装置１１０にコマンド通信され、Ｘ線撮影装置１１０内に通知される。
【００２８】
第１の発明形態では、画像処理・システム制御装置１３０からの画像取得サイズ設定情報（画像取得サイズの長さ単位設定或いは画素数単位設定）に対して、撮影装置内制御部１１５は、ホストへの画像通信プロトコルのデータ処理単位（データ転送単位）に基づいて、画像取得サイズ設定情報で定められた画像取得サイズでＸ線画像データを画像処理・システム制御装置１３０に送信可能か否かを判定する。
【００２９】
画像通信処理は、画像処理・システム制御装置１３０の都合等によるが、横方向の１ラインデータ単位を１データ処理として扱われる場合が多い。この場合、撮影装置内制御部１１５は、例えば、画像処理・システム制御装置１３０により設定された画像取得サイズの横方向の１ラインデータサイズにおける画素数と、画像通信プロトコルのデータ処理単位を考慮して、上述した送信可能か否かを判定する。
【００３０】
具体的に、撮影装置内制御部１１５は、画像処理・システム制御装置１３０により設定された画像取得サイズが画像通信プロトコルのデータ処理単位で扱える場合には、当該画像取得サイズの設定ＯＫを示す送信可能である判定を行う。そして、この場合、撮影装置内制御部１１５は、判定ＯＫである旨のコマンド通知を画像処理・システム制御装置１３０に対して行う。
【００３１】
一方、撮影装置内制御部１１５は、画像処理・システム制御装置１３０により設定された画像取得サイズが画像通信プロトコルのデータ処理単位で扱えない場合には、当該画像取得サイズの設定ＮＧを示す送信不可である判定を行う。そして、この場合、撮影装置内制御部１１５は、判定ＮＧである旨のコマンド通知を画像処理・システム制御装置１３０に対して行う。
【００３２】
図３は、本発明の第１の実施形態に係るＸ線撮影装置（放射線撮影装置）１１０の制御方法における処理手順の一例を示すフローチャートである。
【００３３】
まず、ステップＳ３１において、撮影装置内制御部１１５は、Ｘ線撮影準備段階において、画像処理・システム制御装置１３０から、画像処理・システム制御装置１３０がＸ線撮影装置１１０（具体的には撮影装置内制御部１１５）との通信によってフラットパネルセンサ１１２で生成されるＸ線画像データを取得する際の画像取得サイズを定めた画像取得サイズ設定情報を受信する。このステップＳ３１の受信処理を行う撮影装置内制御部１１５は、受信手段を構成する。
【００３４】
続いて、ステップＳ３２において、撮影装置内制御部１１５は、ステップＳ３１で受信した画像取得サイズ設定情報に定められている画像取得サイズの１ラインデータサイズにおける画素数での通信処理パケットを解析する。ここで、画像取得サイズが長さ単位で設定されている場合には、画素数に換算して、１ラインデータサイズにおける画素数での通信処理パケットを解析する。Ｘ線画像データのパケット通信においては、通信効率が向上するように画像通信プロトコル内の最大パケット単位で送信を繰り返しながら、最後、余り画素数に応じて、小さなパケットで送信するような処理が行われる。或いは、システム設計の簡略化のために、予め決められた固定のパケットサイズ単位にて送信を繰り返し行うようにしてもよい。
【００３５】
続いて、ステップＳ３３において、撮影装置内制御部１１５は、ステップＳ３２の解析の結果、１ライン送信最終パケットが最小処理単位以上で処理可能であるか否かを判定する。即ち、本ステップでは、撮影装置内制御部１１５は、画像処理・システム制御装置１３０との通信に係る画像通信プロトコルのデータ処理単位に基づいて、上述した画像取得サイズでＸ線画像データを画像処理・システム制御装置１３０に送信可能か否かを判定する。このステップＳ３３の判定処理を行う撮影装置内制御部１１５は、判定手段を構成する。
【００３６】
ステップＳ３３の判定の結果、１ライン送信最終パケットが最小処理単位以上で処理可能である場合には（Ｓ３３／ＹＥＳ）、ステップＳ３４に進む。
ステップＳ３４に進むと、撮影装置内制御部１１５は、ステップＳ３１で受信した画像取得サイズ設定情報に定められている画像取得サイズを画像取得パラメータに反映させて設定を行う。さらに、撮影装置内制御部１１５は、判定ＯＫである旨のコマンド通知を画像処理・システム制御装置１３０に対して行う。このステップＳ３４の判定結果通知処理を行う撮影装置内制御部１１５は、通知手段を構成する。
【００３７】
一方、ステップＳ３３の判定の結果、１ライン送信最終パケットが最小処理単位以上で処理不可能である場合には（Ｓ３３／ＮＯ）、ステップＳ３５に進む。
ステップＳ３５に進むと、撮影装置内制御部１１５は、ステップＳ３１で受信した画像取得サイズ設定情報に定められている画像取得サイズが設定不可であることを示す判定ＮＧである旨のコマンド通知を画像処理・システム制御装置１３０に対して行う。この場合、ユーザーは、正しい画像取得サイズになるように画像取得サイズの再設定を行うことになる。このステップＳ３５の判定結果通知処理を行う撮影装置内制御部１１５は、通知手段を構成する。
【００３８】
ステップＳ３４の処理が終了した場合、或いは、ステップＳ３５の処理が終了した場合には、図３に示すフローチャートの処理を終了する。
【００３９】
第１の実施形態によれば、実際のＸ線撮影の前に、予めユーザーから指定された任意の画像取得サイズでＸ線画像データを送信可能であるか否かを把握することができる。これにより、Ｘ線撮影装置１１０から画像処理・システム制御装置１３０にＸ線画像データを送信する際に、簡易な構成で、効率的な画像送信を行うことができる。
【００４０】
（第２の実施形態）
次に、本発明の第２の実施形態について説明する。ここで、第２の実施形態に係るＸ線撮影システム（放射線撮影システム）の概略構成は、図１に示す第１の実施形態に係るＸ線撮影システム（放射線撮影システム）１００の概略構成と同様である。即ち、第２の実施形態に係るＸ線撮影装置（放射線撮影装置）の概略構成は、図１に示す第１の実施形態に係るＸ線撮影装置（放射線撮影装置）１１０の概略構成と同様である。
【００４１】
第２の発明形態では、画像処理・システム制御装置１３０からの画像取得サイズ設定情報（画像取得サイズの長さ単位設定或いは画素数単位設定）に対して、撮影装置内制御部１１５は、ホストへの画像通信プロトコルのデータ処理単位に基づいて、当該画像取得サイズを自動調整する。
【００４２】
図４は、本発明の第２の実施形態に係るＸ線撮影装置（放射線撮影装置）１１０の制御方法における処理手順の一例を示すフローチャートである。
【００４３】
まず、ステップＳ４１において、撮影装置内制御部１１５は、Ｘ線撮影準備段階において、画像処理・システム制御装置１３０から、画像処理・システム制御装置１３０がＸ線撮影装置１１０（具体的には撮影装置内制御部１１５）との通信によってフラットパネルセンサ１１２で生成されるＸ線画像データを取得する際の画像取得サイズを定めた画像取得サイズ設定情報を受信する。このステップＳ４１の受信処理を行う撮影装置内制御部１１５は、受信手段を構成する。
【００４４】
続いて、ステップＳ４２において、撮影装置内制御部１１５は、ステップＳ４１で受信した画像取得サイズ設定情報に定められている画像取得サイズの１ラインデータサイズにおける画素数での通信処理パケットを解析する。ここで、画像取得サイズが長さ単位で設定されている場合には、画素数に換算して、１ラインデータサイズにおける画素数での通信処理パケットを解析する。
【００４５】
続いて、ステップＳ４３において、撮影装置内制御部１１５は、ステップＳ４２の解析の結果、１ライン送信最終パケットが最小処理単位以上で処理可能であるか否かを判定する。即ち、本ステップでは、撮影装置内制御部１１５は、画像処理・システム制御装置１３０との通信に係る画像通信プロトコルのデータ処理単位に基づいて、上述した画像取得サイズでＸ線画像データを画像処理・システム制御装置１３０に送信可能か否かを判定する。このステップＳ４３の判定処理を行う撮影装置内制御部１１５は、判定手段を構成する。
【００４６】
ステップＳ４３の判定の結果、１ライン送信最終パケットが最小処理単位以上で処理可能である場合には（Ｓ４３／ＹＥＳ）、ステップＳ４４に進む。
ステップＳ４４に進むと、撮影装置内制御部１１５は、ステップＳ４１で受信した画像取得サイズ設定情報に定められている画像取得サイズを画像取得パラメータに反映させて設定を行う。さらに、撮影装置内制御部１１５は、判定ＯＫである旨のコマンド通知を画像処理・システム制御装置１３０に対して行う。このステップＳ４４の判定結果通知処理を行う撮影装置内制御部１１５は、通知手段を構成する。
【００４７】
一方、ステップＳ４３の判定の結果、１ライン送信最終パケットが最小処理単位以上で処理不可能である場合には（Ｓ４３／ＮＯ）、ステップＳ４５に進む。
ステップＳ４５に進むと、撮影装置内制御部１１５は、画像処理・システム制御装置１３０との通信に係る画像通信プロトコルのデータ処理単位に基づいて、１ライン送信最終パケットが最小処理単位で処理可能となるように、上述した画像取得サイズを調整する。このステップＳ４５の調整処理を行う撮影装置内制御部１１５は、調整手段を構成する。
【００４８】
このステップＳ４５の調整処理では、画像通信プロトコルのデータ処理単位に基づいて、１ライン送信最終パケットが最小処理単位で処理可能とすべく、取得画素数の追加または削減となるように上述した画像取得サイズを調整する。このように、ステップＳ４５の調整処理では、ステップＳ４１で受信した画像取得サイズ設定情報に定められている画像取得サイズの１ラインデータサイズごとに調整処理を行う。
【００４９】
この場合、画素ピッチと画像取得サイズとのバランスを考慮し、例えば、余り画素数が所定の画素数（判定基準値）以下であるならば取得画素数の削減を行い、それ以外であるならば取得画素数の追加を行う等、状況に応じて追加または削減の決定を行ってもよい。即ち、この場合、撮影装置内制御部１１５は、画像通信プロトコルのデータ処理単位と判定基準値とに従って、取得画素数を追加するか削減するかを決定し、当該決定に従って上述した画像取得サイズを調整する。
【００５０】
続いて、ステップＳ４６において、撮影装置内制御部１１５は、ステップＳ４５で調整した画像取得サイズに係る情報（画像取得サイズの再設定情報）を、画像処理・システム制御装置１３０に対してコマンド通知する。このステップＳ４６の再設定情報通知処理を行う撮影装置内制御部１１５は、通知手段を構成する。また、この際、撮影装置内制御部１１５は、例えば、ステップＳ４５で調整した画像取得サイズを画像取得パラメータに反映させて設定を行う。また、画像処理・システム制御装置１３０側においても、再設定された実際の画像取得サイズに応じて、必要な再設定処理を行う。
【００５１】
ステップＳ４４の処理が終了した場合、或いは、ステップＳ４６の処理が終了した場合には、図４に示すフローチャートの処理を終了する。
【００５２】
図５は、本発明の第２の実施形態に係るＸ線撮影システム（放射線撮影システム）１００の処理の一例を示す図である。具体的に、図５に示すＸ線撮影システム１００では、１画素が２Ｂｙｔｅ（１６ｂｉｔ）で２００ｕｍピッチ、画像通信系にＳｅｒｉａｌ  Ｒａｐｉｄ  ＩＯを有するシステムである。そして、図５は、このシステムにおいて、画像処理・システム制御装置１３０からの画像取得サイズ設定値に対して、撮影装置内制御部１１５で画像取得サイズ調整を行って画像取得サイズの再設定を実施した様子を示している。具体的には、撮影装置内制御部１１５において、取得画素数の再設定を行い、１ラインの取得画素数を追加した例である。
【００５３】
例えば、図５に示すケース１においては、２５６Ｂｙｔｅ、即ち１２８画素単位で処理した場合、１ライン処理の最終パケットが４Ｂｙｔｅ（２画素）となり、パケット最小処理単位で扱えない。この場合、図５に示すように１ラインに２画素数を追加し、７７２画素とする画像取得サイズの調整を行うことにより、１ライン処理の最終パケットが８Ｂｙｔｅ（４画素）となり、パケット最小処理単位で通信可能となる。
【００５４】
また、例えば、図５に示すケース２においては、画像取得サイズが長さ単位で設定されているが、画素ピッチ情報により画素数単位に換算し、ケース１と同様の処理を行った結果を示している。
【００５５】
第２の実施形態では、撮影装置内制御部１１５において、実際のＸ線撮影の前に、予めユーザーから指定された任意の画像取得サイズに対して、画像通信プロトコルのデータ処理単位に基づき取得画素数を自動調整している。そして、この自動調整した結果、例えば、従来、ダミーデータにてパディング処理されていた部分を有効活用できるので、通信系での実データ使用率が上がり、フレームレートを低下させることなく、常に最適な画像取得サイズでＸ線画像データを送信することが可能となる。即ち、第２の実施形態によれば、Ｘ線撮影装置１１０から画像処理・システム制御装置１３０にＸ線画像データを送信する際に、簡易な構成で、効率的な画像送信を行うことができる。
【００５６】
（その他の実施形態）
なお、上述の実施形態においては、画像取得サイズの１ラインデータサイズ単位で送信可否判定もしくは取得画素数調整の処理を行う例を示したが、各種処理系の都合に応じて、数ラインデータサイズ単位、或いは、１フレーム単位で処理を行ってもよい。
【００５７】
また、画像取得サイズ設定情報に定められる画像取得サイズの１画素数のビットサイズが、撮影対象や接続されるシステムに応じて異なる（即ち可変する）場合においても、上述の実施形態に従い、送信可否判定もしくは取得画素数調整の処理を行うことにより、常に最適な画像取得サイズでＸ線画像データを送信することが可能となる。
【００５８】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【００５９】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００６０】
１００  Ｘ線撮影システム、１１０  Ｘ線撮影装置（放射線撮影装置）、１１１  矩形半導体基板、１１２  フラットパネルセンサ、１１３  増幅部、１１４  Ａ／Ｄ変換部、１１５  撮影装置内制御部、１２０  Ｘ線管（放射線管）、１３０  画像処理・システム制御装置、１４０  Ｘ線発生装置（放射線発生装置）、１５０  画像表示装置、１６０  操作パネル、１７１  撮影装置送信信号、１７２  システム制御装置送信信号
【図１】
2016118899.tif 000003
【図２】
2016118899.tif 000004
【図３】
2016118899.tif 000005
【図４】
2016118899.tif 000006
【図５】
2016118899.tif 000007